(57)【要約】【課題】液晶表示パネルにおける汚れ領域を表示できるようにする。【解決手段】光センサ素子を備えた液晶表示パネルを有する電子機器であって、前記表示パネルの汚れ領域を検出する汚れ検出手段と、前記汚れ領域として検出される前記光センサ素子の位置情報を取得する位置情報取得手段と、前記位置情報取得手段にて取得した前記位置情報に対応する前記表示画素に所定のパターンで表示することで、前記汚れ領域を表示する汚れ領域手段とを設け、前記液晶表示パネルに配置される光センサ素子の平均出力値と、液晶表示パネルに配置されるそれぞれの光センサ素子の出力値との差に基づいて、液晶表示パネルの汚れ領域を検出して、検出した汚れ領域を表示する。【選択図】図１
2011065362.tif 000002
【特許請求の範囲】
【請求項１】
同一面上に表示画素と光センサ素子がそれぞれマトリクス状に配置される表示パネルと、
前記表示パネルに配置される前記光センサ素子の出力値を検出して、前記表示パネルに配置される前記光センサ素子の平均出力値と、前記表示パネルに配置されるそれぞれの前記光センサ素子の出力値との差に基づいて、前記表示パネルの汚れ領域を検出する汚れ検出手段と、
前記汚れ領域として検出される前記光センサ素子の位置情報を取得する位置情報取得手段と、
前記位置情報取得手段にて取得した前記位置情報に対応する前記表示画素に所定のパターンで表示することで、前記汚れ領域を表示する汚れ領域手段と、
を有することを特徴とする電子機器。
【請求項２】
前記表示パネルの背面から光を照射するバックライトを有し、
前記汚れ検出手段は前記バックライトをオフしているときに、前記表示パネルに配置される前記光センサ素子の出力値を検出することを特徴とする請求項１に記載の電子機器。
【請求項３】
外光輝度を検出する輝度検出手段を有し、
前記汚れ検出手段は、前記輝度検出手段によって検出される外光輝度が所定値より大きい場合には、前記バックライトのオフ時に、前記表示パネルに配置される前記光センサ素子の出力値を検出し、前記輝度検出手段によって検出される外光輝度が所定値より小さい場合には、前記バックライトのオン時に、前記表示パネルに配置される前記光センサ素子の出力値を検出することを特徴とする請求項２に記載の電子機器。
【請求項４】
前記輝度検出手段によって検出される外光輝度が所定値より小さい場合に、前記汚れ検出手段は前記バックライトを全面均一に照明しているときに、前記表示パネルに配置される前記光センサ素子の出力値を検出することを特徴とする請求項３に記載の電子機器。
【発明の詳細な説明】
【技術分野】
【０００１】
本発明はタッチパネルを有する電子機器に関し、特にタッチパネルの汚れを検出するために好適な技術に関する。
【背景技術】
【０００２】
従来、電子カメラの背面にタッチパネルが貼られるモニタを設け、撮影モード時にはモニタの画面のうち撮影者の手によって覆われることがない部分にプレビュー画像や操作ボタンを表示することが知られている。（特許文献１参照）。
【先行技術文献】
【特許文献】
【０００３】
【特許文献１】特開２００７−３０６６３３号公報
【発明の概要】
【発明が解決しようとする課題】
【０００４】
しかしながら、撮影者の手によって覆われることがない部分に操作ボタンを表示したとしても、操作ボタンを表示した部分の表面が汚れていることで、良好なタッチ操作ができず、誤検出となるという可能性がある。
【０００５】
特に、デジタルカメラにおいては、タッチ操作の誤検出によって、シャッターチャンスを逃してしまうという問題点があった。
本発明は前述の問題点に鑑み、タッチパネルの汚れを検出して使用者に表示することのできる電子機器を提供することを目的とする。
【課題を解決するための手段】
【０００６】
本発明の電子機器は、同一面上に表示画素と光センサ素子がそれぞれマトリクス状に配置される表示パネルと、前記表示パネルに配置される前記光センサ素子の出力値を検出して、前記表示パネルに配置される前記光センサ素子の平均出力値と、前記表示パネルに配置されるそれぞれの前記光センサ素子の出力値との差に基づいて、前記表示パネルの汚れ領域を検出する汚れ検出手段と、前記汚れ領域として検出される前記光センサ素子の位置情報を取得する位置情報取得手段と、前記位置情報取得手段にて取得した前記位置情報に対応する前記表示画素に所定のパターンで表示することで、前記汚れ領域を表示する汚れ領域手段と、を有することを特徴とする。
【発明の効果】
【０００７】
本発明によれば、光センサ素子を用いた液晶表示装置の表示パネルにおける汚れ領域をリアルタイムに検出して警告表示をできるため、ユーザーは汚れによる誤動作を常に防止できる。
【図面の簡単な説明】
【０００８】
【図１】システム構成を示すブロック図である。
【図２】（ａ）は表示画素のマトリクス図、（ｂ）は警告領域指示のイメージ図である。
【図３】経時変化値を表したイメージ図である。
【図４】（ａ）は外光受光モードのイメージ図、（ｂ）は反射受光モードのイメージ図である。
【図５】外光受光モード時の動作タイミングチャートである。
【図６】本実施形態の動作を表した処理手順の一例を示す第１のフローチャートである。
【図７】本実施形態の動作を表した処理手順の一例を示す第２のフローチャートである。
【発明を実施するための形態】
【０００９】
本発明を実施するための最良の形態について、図１〜図７を用いて説明する。
図１は、本実施形態に係る電子機器の一例であるデジタルカメラ１００のシステム構成例を示すブロック図である。図１において、１０１は撮影レンズ、１０２は絞りであり、これらはマイクロコンピュータにより構成されるカメラ制御マイコン１０４より送信される制御信号により動作するフォーカス制御部１０３により適切な状態に制御される。
【００１０】
１０５は撮像素子、１０６はＡＧＣで、撮像素子１０５の出力を増幅するものであり、カメラ制御マイコン１０４からの制御信号によって増幅率が調節される。ＡＧＣ１０６の出力はＡ／Ｄ変換器１０７でデジタル信号に変換され、システム制御部１０８にて、さまざまな画像系のデジタル信号処理が実行される。１０９は記録装置で、電気的に消去・記録可能な不揮発性メモリであり、例えばフラッシュメモリ等が用いられる。記録装置１０９には、システム制御部１０８より送信される様々な情報の保存や、カメラシステムを制御するプログラムが格納されている。
【００１１】
１１０は液晶表示装置であり、表示パネル１１４及び、表示パネル１１４の背面から光を照射するバックライト１１１を備える。表示パネル１１４は、図２（ａ）のように同一面上に表示画素１１２及び光センサ素子１１３がマトリクス状に配置されている。また、光センサ素子１１３の出力値は、Ａ／Ｄ変換部１１５にてデジタル信号に変換され、システム制御部１０８に出力される。
システム制御部１０８は、位置情報取得部１１６、汚れ検出部１１７及び調光制御部１１８を備えている。位置情報取得部１１６は、デジタル化された光センサ素子１１３の出力値に基づいて、表示パネル１１４の面上に接触する物体の位置を位置情報として取得する。
【００１２】
汚れ検出部１１７は、液晶表示パネル１１０に配置されるすべての光センサ素子１１３の出力値を検出して、すべての光センサ素子１１３の平均出力値を演算し、演算した平均出力値とそれぞれの光センサ素子の出力値との差を求める。そして、この差分値を、記録装置１０９へ記録する。記録装置１０９へ記録した差分値が、図３のように定められた汚れ検出レベルを超える場合には、その差分値に対応する光センサ素子１１３を、表示パネル１１４に汚れが付着している領域と判断する。そして、位置情報取得部１１６によって、汚れ領域として検出される光センサ素子１１３の位置情報を取得し、その位置情報に対応する表示画素１１２を所定のパターンで表示する。これによって、図２（ｂ）のように汚れ領域表示を行う。
【００１３】
外光輝度検出部１１９は、外光輝度を検出し、外光輝度が所定値以上と検出された場合、及び外光輝度が所定値以下と検出された場合に、システム制御部１０８へ送信する。システム制御部１０８は、外光輝度検出部１１９により取得された外光輝度の結果から、汚れ検出部１１７を、外光受光モード及び反射受光モードのいずれかに切り替える。
【００１４】
図４（ａ）は、外光受光モードを示したイメージ図であり、図５は外光受光モード時のバックライト１１１の駆動と、汚れ検出部１１７の動作タイミングを表したタイムチャート図である。外光輝度検出部１１９により取得された外光量の結果が所定量以上の場合、汚れ検出部１１７は外光受光モードとして動作し、調光制御部１１８によって、バックライト１１１の発光を高速でオンオフ制御するＤｕｔｙ駆動で動作させる。
【００１５】
本実施形態においては、オンオフ制御している期間において、バックライト光がオフ時に汚れの検出を行い、外光が表示パネル１１４を透過した光量によって前述した光センサ素子１１３の差分値を取得する。外光は、表示パネル１１４を透過して光センサ素子１１３に入るが、表示パネル１１４上に汚れがある領域では汚れのない部分に比較して光センサ素子１１３に入る光量が少ない。このため、前述した差分値が小さくなり、汚れ検出部１１７により汚れが付着していることを検出する。
【００１６】
図４（ｂ）は、反射受光モードを示したイメージ図である。外光輝度検出部１１９により取得された外光輝度の検出結果が所定値以下の場合、汚れ検出部１１７は反射受光モードとして動作し、システム制御部１０８が備えている調光制御部１１８によって、バックライト１１１の発光を全面均一照明に設定する。バックライト１１１の照明光は表示パネル１１４を透過し外へ逃げるが、表示パネル１１４上に汚れがある領域ではバックライト１１１の照明光が汚れに反射し、光センサ素子１１３に入る。これによって、反射受光モード時に定められた汚れ検出レベルを超えた差分値となる光センサ素子１１３を、汚れ検出部１１７は表示パネルに汚れが付着している領域として検出する。
【００１７】
次に、図６及び図７のフローチャートを参照しながら本実施形態のデジタルカメラ１００の動作を説明する。
図６において、カメラが起動すると、まず、Ｓ６０１において汚れ検出動作開始処理が行われる。次に、Ｓ１０１において、外光輝度検出部１１９による外光輝度検出を行い、外光輝度量が所定値以上か否かを判断する。この判断の結果、外光輝度量が所定値以上である場合、Ｓ２０１に進み、外光受光モードの汚れ検出動作を行う。次に、Ｓ２０２においてバックライトの駆動を高速でオンオフするＤｕｔｙ駆動を行う。
【００１８】
次に、Ｓ２０３に進み、バックライトの発光がオフ時に、光センサ素子１１３の出力をＡ／Ｄ変換部１１５でデジタル信号へ変換する。次に、Ｓ２０４に進み、システム制御部１０８はすべての光センサ素子１１３の平均出力値を演算し、演算した平均出力値とそれぞれの光センサ素子１１３の出力値との差を求めて、求めた差分値を記録装置１０９へ記録する。Ｓ２０５では、記録したそれぞれの差分値と汚れ検出レベルとを比較する。次に、Ｓ２０６において、差分値が所定値以上であるか否かを判断する。この判断の結果、差分値が所定値以下のときはＳ２０３へ戻り、所定値以上のときは、Ｓ６０２において汚れ検出動作終了処理が行われる。その後、Ｓ１０２において、画面の汚れ領域を指示する汚れ領域表示を行う。
【００１９】
また、Ｓ１０１において外光輝度検出部１１９による外光輝度検出を行い、外光輝度が所定値以下の場合、Ｓ３０１に進み、反射受光モードの汚れ検出動作を行う。次に、Ｓ３０２においてバックライト１１１の発光を全面均一照明に制御し、Ｓ３０３においてバックライトオン時にすべての光センサ素子１１３の出力をＡ／Ｄ変換部１１５でデジタル信号へ変換する。
【００２０】
次に、Ｓ３０４において、システム制御部１０８はすべての光センサ素子１１３の平均出力値を演算し、演算した平均出力値とそれぞれの光センサ素子１１３の出力値との差を求めて、求めた差分値を記録装置１０９へ記録する。次に、Ｓ３０５において、記録したそれぞれの差分値と汚れ検出レベルとの比較を行い、この比較結果をＳ３０６において判断する。Ｓ３０６の判断の結果、差分値が所定値以上のときはＳ３０３へ戻り前述した動作を行う。また、Ｓ３０６の判断の結果、所定値以下のときは、汚れ検出動作を終了してＳ１０２に進み、画面の汚れ領域を指示する汚れ領域表示を行う。
【００２１】
また、図７のＳ１０２において、画面の汚れ領域を表示する汚れ領域表示を行った後、図６のＳ６０１からＳ６０２の汚れ検出動作を行わせ、汚れの有無を判別する。次に、Ｓ１０３において、図６のＳ６０１からＳ６０２の汚れ検出動作の結果、汚れが検出されているか否かを判別する。この判断の結果、汚れが検出されていた場合にはＳ１０４に進み、汚れ領域表示が所定時間以上表示されているか否かを判断する。この判断の結果、所定時間以上表示されている場合にはＳ１０５に進み、画面の汚れ領域を表示する汚れ領域表示を止め、警告の種類を領域表示から図示しない警告アイコンなどの専用アイコンの表示などに変更する。
【００２２】
次に、Ｓ１０６において、図６のＳ６０１からＳ６０２の汚れ検出動作によって汚れが検出され続けているか否かを判断する。この判断の結果、汚れが検出され続けていればＳ１０５に戻り、警告アイコンの表示を続ける。また、Ｓ１０３、Ｓ１０６において汚れが検出されなくなった場合、Ｓ１０７に進んで通常画面表示を行う。
【００２３】
以上説明したように、本実施形態によれば、汚れをリアルタイムに検出し、汚れ領域表示を実行することができるため、ユーザーは表示パネルに汚れがあることを認識することができ、汚れがあるまま電子機器を使用することがない。したがって、汚れによる誤動作も防止することができる。
【符号の説明】
【００２４】
１００  デジタルカメラ、１０１  撮影レンズ、１０４  カメラ制御マイコン、１０５  撮像素子、１０８  システム制御部、１０９  記録装置、１１０  液晶表示装置、１１１  バックライト、１１２  表示画素、１１３  光センサ素子、１１６  位置情報取得部、１１７  汚れ検出部、１１８  調光制御部、１１９  外光輝度検出部
【図１】
2011065362.tif 000003
【図２】
2011065362.tif 000004
【図３】
2011065362.tif 000005
【図４】
2011065362.tif 000006
【図５】
2011065362.tif 000007
【図６】
2011065362.tif 000008
【図７】
2011065362.tif 000009